(57)【特許請求の範囲】
【請求項１】
ごみ焼却炉の後壁（１ｂ）に、２次空気供給ノズル（１２）を有する２次空気供給装置（１０）が設けられ、２次空気供給装置（１０）には、２次空気供給ノズル（１２）の空気噴出角度の調整のために、２次空気供給ノズル上下方向揺動手段および同ノズル水平方向回動手段が備えられているごみ焼却炉において、２次空気供給装置（１０）の側面よりみて円弧状の屈曲パイプ部（１３）に、下方に伸びる垂下状脚部（１６）が設けられ、この垂下状脚部（１６）の下端に、左右一対の下向きブラケット（１７）（１７）が設けられ、両下向きブラケット（１７）（１７）に水平連結ピン（１８）が渡されて固定されており、ごみ焼却炉の後壁（１ｂ）の貫通孔（６）より下側に所定間隔をおいて水平取付台（８）が炉外側に突出するように設けられ、この水平取付台（８）の上面に、垂直方向の枢軸によって回動自在となされた回動盤（２１）を有する水平方向回動機構（２０）が設けられ、回動盤（２１）の上面には上向きブラケット（２２）が立ち上がり状に設けられていて、該ブラケット（２２）の上端部が、上記一対の下向きブラケット（１７）（１７）同士の中間において水平連結ピン（１８）に揺動自在に枢着され、水平連結ピン（１８）に設けられた駆動装置の作動により水平連結ピン（１８）が回動せしめられることにより、２次空気供給装置（１０）の２次空気供給ノズル（１２）が、上下方向に所定角度の範囲内で空気噴出角度調整自在となされ、一方、２次空気供給ノズル（１２）は、水平方向回動機構（２０）の作動により回動盤（２１）が水平面内で回動せしめられることにより、水平方向に所定角度の範囲内で空気噴出角度調整自在となされており、ごみ（Ｒ）の燃焼に伴って火格子（４）上を移動するごみ燃焼位置に対応して、２次空気供給ノズル（１２）から該ごみ燃焼位置に２次空気を供給することを特徴とする、ごみ焼却炉。
【請求項２】
２次空気供給ノズル（１２）による空気噴出角度が、上および下方向にそれぞれ０〜１０°の範囲内でかつ水平方向にそれぞれ０〜１０°の範囲内で調整されるものとなされている、請求項１に記載のごみ焼却炉。
【請求項３】
２次空気供給装置（１０）に備えられた２次空気供給ノズル上下方向揺動手段および同ノズル水平方向回動手段が、遠隔操作により作動せしめられる、請求項１または２に記載のごみ焼却炉。
【請求項４】
ごみ焼却炉に、炉内ごみ焼却状況監視装置が設けられ、この炉内ごみ焼却状況監視装置から送られる炉内のごみ焼却状況の検出信号に基づいて遠隔操作により、２次空気供給装置（１０）のノズル上下方向揺動手段およびノズル水平方向回動手段が作動せしめられる、請求項３に記載のごみ焼却炉。
【発明の詳細な説明】
【技術分野】
【０００１】
本発明は、都市ごみ、産業廃棄物等の焼却に用いられるごみ焼却炉に関し、より詳細には、ごみの燃焼の安定化を図ることができ、ひいては排ガス中のＣＯ（一酸化炭素）濃度の低減（安定化）を果たすことができる、ごみ焼却炉に関するものである。
【背景技術】
【０００２】
従来、この種のごみ焼却炉としては、本出願人が提案した下記の特許文献１に記載のものが知られている。
【０００３】
この特許文献１に記載のごみ焼却炉は、１次燃焼室において、２次燃焼用空気（以下、２次空気という）の供給ノズルがごみ送り方向に対向する位置すなわち後壁に配設され、２次空気供給ノズルの噴口が火格子上のごみの上面に沿って２次空気を噴出するように向けられていることを特徴とするものであり、ごみの完全燃焼に対して大幅な効果を発揮するものであった。
【先行技術文献】
【特許文献】
【０００４】
【特許文献１】特許第２６６２７４６号公報
【発明の概要】
【発明が解決しようとする課題】
【０００５】
しかしながら、近年、エネルギーの有効利用としてのサーマルリサイクル燃焼等によるごみカロリーの上昇、またはごみの分別回収によるごみカロリーの低下等が見られ、既設炉の運転面での燃焼安定性に欠けることが見られる。
【０００６】
このような場合において、上記特許文献１に記載のごみ焼却炉では、後壁２次空気の供給位置が固定されているため、燃焼の最適位置へ２次空気を供給することができないという問題があった。
【０００７】
本発明の目的は、上記の従来技術の問題を解決し、ごみ質の変化あるいはまたごみ燃焼状況の変化に対応して、火格子上のごみ燃焼の最適位置へ２次空気を確実に供給することができて、ごみの燃焼の安定化を図ることができ、最終的に排ガス中のＣＯ（一酸化炭素）濃度の低減（安定化）を果たすことができる、ごみ焼却炉を提供しようとすることにある。
【課題を解決するための手段】
【０００８】
本発明者らは、上記の点に鑑み鋭意研究を重ねた結果、ごみ質の変化あるいはまた火格子上のごみ層の燃焼状況の変化に対応して、火格子上のごみ燃焼の最適位置へ向けて２次空気を供給することができれば、さらなる燃焼の安定につながることを見出し、本発明を完成するに至ったものである。
【０００９】
上記の目的を達成するために、請求項１の発明は、ごみ焼却炉の後壁に、２次空気供給ノズルを有する２次空気供給装置が設けられ、２次空気供給装置には、２次空気供給ノズルの空気噴出角度の調整のために、２次空気供給ノズル上下方向揺動手段および同ノズル水平方向回動手段が備えられているごみ焼却炉において、２次空気供給装置の側面よりみて円弧状の屈曲パイプ部に、下方に伸びる垂下状脚部が設けられ、この垂下状脚部の下端に、左右一対の下向きブラケットが設けられ、両下向きブラケットに水平連結ピンが渡されて固定されており、ごみ焼却炉の後壁の貫通孔より下側に所定間隔をおいて水平取付台が炉外側に突出するように設けられ、この水平取付台の上面に、垂直方向の枢軸によって回動自在となされた回動盤を有する水平方向回動機構が設けられ、回動盤の上面には上向きブラケットが立ち上がり状に設けられていて、該ブラケットの上端部が、上記一対の下向きブラケット同士の中間において水平連結ピンに揺動自在に枢着され、水平連結ピンに設けられた駆動装置の作動により水平連結ピンが回動せしめられることにより、２次空気供給装置の２次空気供給ノズルが、上下方向に所定角度の範囲内で空気噴出角度調整自在となされ、一方、２次空気供給ノズルは、水平方向回動機構の作動により回動盤が水平面内で回動せしめられることにより、水平方向に所定角度の範囲内で空気噴出角度調整自在となされており、ごみの燃焼に伴って火格子上を移動するごみ燃焼位置に対応して、２次空気供給ノズルから該ごみ燃焼位置に２次空気を供給することを特徴としている。
【００１０】
本発明の火格子型ごみ焼却炉においては、２次空気供給ノズルによる空気噴出角度が、上および下方向にそれぞれ０〜１０°の範囲内でかつ水平方向にそれぞれ０〜１０°の範囲内で調整されるものとなされているのが好ましい。
【００１１】
また、本発明によるごみ焼却炉では、２次空気供給装置に備えられた２次空気供給ノズル上下方向揺動手段および同ノズル水平方向回動手段が、遠隔操作により作動せしめられるのが好ましい。
【００１２】
また、本発明によるごみ焼却炉では、ごみ焼却炉に、炉内ごみ焼却状況監視装置が設けられ、この炉内ごみ焼却状況監視装置から送られる炉内のごみ焼却状況の検出信号に基づいて遠隔操作により、２次空気供給装置のノズル上下方向揺動手段およびノズル水平方向回動手段が作動せしめられるのが好ましい。
【発明の効果】
【００１３】
請求項１の発明は、ごみ焼却炉の後壁に、２次空気供給ノズルを有する２次空気供給装置が設けられ、２次空気供給装置には、２次空気供給ノズルの空気噴出角度の調整のために、２次空気供給ノズル上下方向揺動手段および同ノズル水平方向回動手段が備えられているごみ焼却炉において、２次空気供給装置の側面よりみて円弧状の屈曲パイプ部に、下方に伸びる垂下状脚部が設けられ、この垂下状脚部の下端に、左右一対の下向きブラケットが設けられ、両下向きブラケットに水平連結ピンが渡されて固定されており、ごみ焼却炉の後壁の貫通孔より下側に所定間隔をおいて水平取付台が炉外側に突出するように設けられ、この水平取付台の上面に、垂直方向の枢軸によって回動自在となされた回動盤を有する水平方向回動機構が設けられ、回動盤の上面には上向きブラケットが立ち上がり状に設けられていて、該ブラケットの上端部が、上記一対の下向きブラケット同士の中間において水平連結ピンに揺動自在に枢着され、水平連結ピンに設けられた駆動装置の作動により水平連結ピンが回動せしめられることにより、２次空気供給装置の２次空気供給ノズルが、上下方向に所定角度の範囲内で空気噴出角度調整自在となされ、一方、２次空気供給ノズルは、水平方向回動機構の作動により回動盤が水平面内で回動せしめられることにより、水平方向に所定角度の範囲内で空気噴出角度調整自在となされており、ごみの燃焼に伴って火格子上を移動するごみ燃焼位置に対応して、２次空気供給ノズルから該ごみ燃焼位置に２次空気を供給するもので、請求項１の発明によれば、ごみ質の変化あるいはまたごみ燃焼状況の変化に対応して、火格子上のごみ燃焼の最適位置へ２次空気を確実に供給することができて、ごみの燃焼の安定化を図ることができ、最終的に排ガス中のＣＯ（一酸化炭素）濃度の低減（安定化）を果たすことができるという効果を奏する。
【図面の簡単な説明】
【００１４】
【図１】本発明のごみ焼却炉の実施の形態を示す垂直断面図で、ごみの最大燃焼時のごみ燃焼位置を示している。
【図２】同ごみ焼却炉の垂直断面図で、ごみの最小燃焼時のごみ燃焼位置を示している。
【図３】同ごみ焼却炉の火格子部分の拡大平面図で、ごみの最大燃焼時と最小燃焼時のごみ燃焼位置を示している。
【図４】同ごみ焼却炉の部分拡大垂直断面図で、ごみ焼却炉の後壁部分を示している。
【図５】同ごみ焼却炉の部分拡大水平断面図で、ごみ焼却炉の後壁部分を示している。
【発明を実施するための形態】
【００１５】
つぎに、本発明の実施の形態を、図面を参照して説明するが、本発明はこれらに限定されるものではない。
【００１６】
なお、図面の説明において、前後関係については、図１の左方を前方と称することとする。
【００１７】
図面は、本発明によるごみ焼却炉の一例を示すものである。
【００１８】
まず、図１を参照すると、ごみ焼却炉の１次燃焼室（１）内において、火格子（４）は、前方のごみ投入ホッパ（７）側から順に乾燥火格子（４ａ）、燃焼火格子（４ｂ）および後燃焼火格子（４ｃ）によって構成されており、かつ後方下向きに傾斜して配置されている。燃焼火格子（４ｂ）の上方には、１次燃焼室（１）に続いて２次燃焼室（２）が設けられ、さらに２次燃焼室（２）に続いて排ガス排出路（３）が設けられている。乾燥火格子（４ａ）、燃焼火格子（４ｂ）および後燃焼火格子（４ｃ）の下方には、１次空気供給路（５）から１次燃焼用空気がそれぞれ供給される。
【００１９】
ホッパ（７）から投入されたごみ（Ｒ）の送り方向に対向する１次燃焼室（１）の後壁（１ｂ）に、２次空気供給ノズル（１２）を有する２次空気供給装置（１０）が左右に２機並んで配設されている。
【００２０】
図４と図５に、２次空気供給装置（１０）の詳細を示す。同図を参照すると、２次空気供給装置（１０）は、ごみ焼却炉の後壁（１ｂ）の貫通孔（６）に挿通された２次空気供給パイプ本体（１１）と、これの炉内側端部に前方上向きに傾斜状に接続された２次空気供給ノズル（１２）と、同パイプ本体（１１）の炉外側端部に接続された側面よりみて円弧状の屈曲パイプ部（１３）と、屈曲パイプ部（１３）の上端にこれより上方に伸びるように接続された伸縮継ぎ手パイプ部（１４）とを備えている。なお、伸縮継ぎ手パイプ部（１４）の上端は、さらに２次空気流送パイプ（１５）に接続されている。
【００２１】
各２次空気供給装置（１０）の２次空気供給ノズル（１２）の噴口は２次空気供給パイプ本体（１１）に対し、通常は、乾燥火格子（４ａ）上のごみ上端部を向くように、例えば水平から上に２０°の角度を向けて設けられている。
【００２２】
本発明においては、各２次空気供給装置（１０）には、２次空気供給ノズル（１２）の空気噴出角度の調整のために、ノズル上下方向揺動手段およびノズル水平方向回動手段が設けられている。
【００２３】
すなわち、２次空気供給装置（１０）の側面よりみて円弧状の屈曲パイプ部（１３）に、下方に伸びる垂下状脚部（１６）が設けられ、この垂下状脚部（１６）の下端に、左右一対の下向きブラケット（１７）（１７）が設けられている。
【００２４】
一方、ごみ焼却炉の後壁（１ｂ）の貫通孔（６）より下側に所定間隔をおいて水平取付台（８）が炉外側に突出するように設けられ、この水平取付台（８）の上面に、図示しない垂直方向の枢軸によって回動自在となされた回動盤（２１）を有する水平方向回動機構（２０）が設けられ、回動盤（２１）の上面には上向きブラケット（２２）が立ち上がり状に設けられていて、該ブラケット（２２）の上端部が、上記一対の下向きブラケット（１７）（１７）に水平連結ピン（１８）を介して連結されている。
【００２５】
ここで、例えば水平連結ピン（１８）が一対の下向きブラケット（１７）（１７）に渡されて固定されており、両下向きブラケット（１７）（１７）同士の中間において上向きブラケット（２２）の上端部が水平連結ピン（１８）に揺動自在に枢着され、水平連結ピン（１８）の一端部に設けられた図示しない駆動装置の作動により水平連結ピン（１８）が回動せしめられることにより、２次空気供給装置（１０）の２次空気供給ノズル（１２）が、上下方向に所定角度の範囲内で空気噴出角度調整自在となされている。
【００２６】
一方、２次空気供給装置（１０）の２次空気供給ノズル（１２）は、水平方向回動機構（２０）の作動により回動盤（２１）が水平面内で回動せしめられることにより、水平方向に所定角度の範囲内で空気噴出角度調整自在となされている。
【００２７】
この実施形態では、２次空気供給装置（１０）の２次空気供給ノズル（１２）による空気噴出角度が、上下方向に±１０°の範囲内でかつ水平方向に０〜１０°の範囲内で調整されるものとなされている。
【００２８】
本発明のごみ焼却炉によれば、ごみ質の変化あるいはまたごみ燃焼状況の変化に対応して、火格子（４）上のごみ燃焼の最適位置へ２次空気を確実に供給し、ごみの燃焼の安定化を図り、最終的に排ガス中のＣＯ（一酸化炭素）濃度の低減（安定化）を果たすことができる。
【００２９】
例えば図１と図３に示すように、ごみ焼却炉の火格子（４）上のごみ（Ｒ）の燃焼位置が後燃焼火格子（４ｃ）側へ移動した場合は、ごみ燃焼位置は、同図に符号（Ａ）で示す部分であり、このごみ燃焼位置に対応するように、２次空気供給ノズル（１２）の噴口を、例えば通常の水平から上に２０°の角度を向いている状態から、さらに、上記ノズル上下方向揺動手段の作動により、２次空気供給ノズル（１２）の噴口を上方向に０〜１０°の範囲内で調整して、該ごみ燃焼位置に２次空気を確実に供給する。
【００３０】
一方、例えば図２と図３に示すように、ごみ焼却炉の火格子（４）上のごみ（Ｒ）の燃焼位置が乾燥火格子（４ａ）側へ移動した場合は、ごみ燃焼位置は、同図に符号（Ｂ）で示す部分であり、このごみ燃焼位置に対応するように、２次空気供給ノズル（１２）の噴口を、例えば通常の水平から上に２０°の角度を向いている状態から、さらに、上記ノズル上下方向揺動手段の作動により、２次空気供給ノズル（１２）の噴口を下方向に０〜１０°の範囲内で調整して、該ごみ燃焼位置に２次空気を確実に供給するものである。
【００３１】
また、例えば図３に示すように、ごみ焼却炉においては、ごみの燃焼に伴って火格子（４）上を移動するごみの燃焼位置が左右方向にも変動するものであり、このような場合、上記ノズル水平方向回動手段の作動により、２次空気供給ノズル（１２）の噴口を、水平方向にそれぞれ０〜１０°の範囲内で調整して、該ごみ燃焼位置に２次空気を確実に供給するものである。
【００３２】
ここで、ごみ焼却炉の火格子（４）上のごみ（Ｒ）の燃焼位置の変動範囲を考慮した場合、２次空気供給ノズル（１２）による上および下方向の空気噴出角度は、それぞれ１０°を超えて調整する必要がないものである。
【００３３】
一方、２次空気供給ノズル（１２）による水平方向の空気噴出角度の調整が、それぞれ１０°を超えると、２次空気供給ノズル（１２）から噴出された２次空気が、ごみ焼却炉の左右側壁の方に向けられてしまうので、２次空気がごみの燃焼に寄与することができず、好ましくない。
【００３４】
２次空気供給装置（１０）の２次空気供給ノズル（１２）からは、通常、４０〜４５ｍ／ｓの流速で、２次空気を噴出する。
【００３５】
なお、ごみ焼却炉の後壁（１ｂ）には、２次空気供給パイプ本体（１１）が挿通された貫通孔（６）の炉外側端部を塞ぐように環状断熱材（２３）が取り付けられ、この環状断熱材（２３）の後端と２次空気供給パイプ本体（１１）の外面との間に、気密用伸縮継ぎ手（２４）が設けられている。
【００３６】
本発明によるごみ焼却炉においては、２次空気供給ノズル（１２）から、２次空気単独の他、２次空気と水、２次空気と水蒸気または２次空気と再循環ガスの混合気体を吹出すようにしてもよい。
【００３７】
本発明によるごみ焼却炉において、２次空気供給装置（１０）の２次空気供給ノズル（１２）により２次空気を吹込むことにより、燃焼ガスの混合および攪拌を効果的に行ない、燃焼を促進することができる。
【００３８】
燃焼火格子（４ｂ）上では、最も燃焼が盛んであり、一酸化炭素や炭化水素類、煤などの未燃ガスが焼却炉の上部に向けて発生する。この部分に後方から２次空気供給装置（１０）の２次空気供給ノズル（１２）により高速噴流を加えることにより、火炎の基部において火柱、未燃ガス、空気を渦流とともに混合、攪拌することができ、燃焼が促進される。
【００３９】
また、この混合効果と同時に燃焼火格子（４ｂ）上で発生した燃焼熱が、２次空気供給ノズル（１２）からの高速噴流により乾燥火格子（４ａ）上に移動せられるので、乾燥火格子（４ａ）上の熱分解ガスの燃焼が促進される。
【００４０】
さらに、乾燥火格子（４ａ）上で発生した熱分解ガスは１次燃焼室（１）の前部傾斜天井（１ａ）に沿って上昇するが、前記と同様に２次空気供給ノズル（１２）からの高速噴流の混合効果によって熱分解ガスの燃焼が促進される。
【００４１】
２次空気供給ノズル（１２）から２次空気が、ごみ（Ｒ）層の上面にほぼ沿って吹込まれ、火炎の基部において燃焼ガスの混合、攪拌が起こるので、ごみ（Ｒ）塊の間から１次燃焼空気の吹抜けが起こりにくく、燃焼が促進される。
【００４２】
このように、２次空気供給装置（１０）の２次空気供給ノズル（１２）から２次空気を吹込むことにより、燃焼が促進され、未燃分の発生を減少させることができる。
【００４３】
そして、本発明のごみ焼却炉では、２次空気供給ノズル（１２）が、上下方向および水平方向に所定角度の範囲内で空気噴出角度調整自在となされており、ごみの燃焼に伴って火格子（４）上を移動するごみ（Ｒ）の燃焼位置に対応して、２次空気供給ノズル（１２）から該ごみ燃焼位置に２次空気を供給するものであるから、本発明のごみ焼却炉によれば、ごみ質の変化あるいはまたごみ燃焼状況の変化に対応して、火格子（４）上のごみ燃焼の最適位置へ２次空気を確実に供給することができて、ごみの燃焼の安定化を図ることができ、最終的に排ガス中のＣＯ（一酸化炭素）濃度の低減（安定化）を果たすことができる。
【００４４】
なお、図示は省略したが、本発明において、２次空気供給装置（１０）に設けられた２次空気供給ノズル（１２）の空気噴出角度の調整のためのノズル上下方向揺動手段およびノズル水平方向回動手段は、例えばこれらを遠隔操作により作動させることもできる。この場合には、例えばごみ焼却炉に、温度センサーやＣＯ（一酸化炭素）濃度検出器等を装備した炉内ごみ焼却状況監視装置を設けておき、この炉内ごみ焼却状況監視装置から送られる炉内のごみ焼却状況の検出信号に基づいて遠隔操作により、２次空気供給装置（１０）のノズル上下方向揺動手段およびノズル水平方向回動手段を作動させて、２次空気供給ノズル（１２）の空気噴出角度を、火格子（４）上のごみ燃焼の最適位置へ２次空気を確実に供給するように調整すればよいものである。
【００４５】
また、２次空気供給装置（１０）の２次空気供給ノズル（１２）が配設されているごみ焼却炉の後壁（１ｂ）付近の温度が、約５００℃と低いことから、２次空気供給ノズル（１２）の空気噴射に伴うごみの２次燃焼によるクリンカーの発生が抑制されるとともに、上記２次空気供給ノズル（１２）自体の焼損も防止されるなどの点は、従前のごみ焼却炉の場合と同様である。
【００４６】
なお、上記の実施形態では、ごみ焼却炉の１次燃焼室（１）の後壁（１ｂ）に、２次空気供給ノズル（１２）を有する２次空気供給装置（１０）が、左右に２機並んで配設されているが、ごみ焼却炉の大きさによっては、２次空気供給装置（１０）が１機だけ設けられていてもよいし、あるいはまた２次空気供給装置（１０）が左右に３機以上、並んで配設されていてもよい。
【符号の説明】
【００４８】
１：１次燃焼室
１ａ：前部傾斜天井
１ｂ：後壁
２：２次燃焼室
３：排ガス排出路
４：火格子
４ａ：乾燥火格子
４ｂ：燃焼火格子
４ｃ：後燃焼火格子
５：１次空気供給路
６：貫通孔
７：ホッパ
８：水平取付台
１０：２次空気供給装置
１１：２次空気供給パイプ本体
１２：２次空気供給ノズル
１３：円弧状の屈曲パイプ部
１４：伸縮継ぎ手パイプ部
１５：２次空気流送パイプ
１６：垂下状脚部
１７：下向きブラケット
１８：水平連結ピン
２０：水平方向回動機構
２１：回動盤
２２：上向きブラケット
２３：環状断熱材
２４：気密用伸縮継ぎ手
【図１】
0005608448.tif 000002
【図２】
0005608448.tif 000003
【図３】
0005608448.tif 000004
【図４】
0005608448.tif 000005
【図５】
0005608448.tif 000006